(57)【要約】【課題】左側流下エリア内の遊技部品の負荷を軽減することが可能な遊技機の提供を目的とする。【解決手段】本発明のパチンコ遊技機１０には、第２円弧部４２Ｃの下端部と下側膨出部４４Ａの上端部との間に表示開口１１Ｈ側に陥没した失速部４３が設けられている。失速部４３は、第２円弧部４２Ｃと下側膨出部４４Ａとの間を、第２円弧部４２Ｃ全体の勾配より緩やかな勾配で連絡した段差傾斜部４３Ａを有している。これにより、遊技領域内突壁４０を転動した遊技球が失速部４３に至ると、段差傾斜部４３Ａに衝突して失速するので、左側流下エリアＲ２内の特定釘１７Ｋ等の遊技部品の負荷を軽減することが可能となる。【選択図】図６
2017023269.tif 000002
【特許請求の範囲】
【請求項１】
遊技球が流下可能な遊技領域を前面に備えた遊技板と、
前記遊技領域を包囲する包囲壁と、
前記遊技領域内に遊技球が進入するための進入部と、
前記遊技板の前面から突出し、前記遊技領域の上部に打ち込まれた遊技球を下方へと案内可能な遊技領域内突壁と、を備えた遊技機において、
前記遊技領域内突壁のうち遊技球を前記遊技領域の左側流下エリアに案内可能な左外側面は、
前記包囲壁のうち前記進入部から下方へ延びた部分との間に前記左側流下エリアを形成すると共に、前記左側流下エリアに向けて膨出した下側膨出部と、
前記下側膨出部より上方に配され、左上方に向けて膨出した上側膨出部と、
前記上側膨出部と前記下側膨出部との間に設けられ、前記上側膨出部により案内された遊技球が失速する失速部と、を少なくとも備えていることを特徴とする遊技機。
【請求項２】
前記遊技領域内突壁のうち前記上側膨出部の上端から前記下側膨出部の下端までが全体に亘って左下がりに傾斜した左側傾斜部をなし、
前記失速部は、前記左側傾斜部全体に対して陥没した形状をなしていることを特徴とする請求項１に記載の遊技機。
【請求項３】
前記失速部は、前記上側膨出部の下端と前記下側膨出部の上端との間を接続し、前記上側膨出部全体の勾配より緩い勾配で左下がりに傾斜した段差傾斜部を有していることを特徴とする請求項１又は２に記載の遊技機。
【請求項４】
前記上側膨出部に受け止められずに前記左側流下エリアに到達する遊技球よりも、前記上側膨出部に受け止められてから前記左側流下エリアに到達する遊技球が多くなるように構成されたことを特徴とする請求項１乃至３の何れか１の請求項に記載の遊技機。
【請求項５】
前記下側膨出部の曲率が、前記上側膨出部の曲率よりも小さいことを特徴とする請求項１乃至４の何れか１の請求項に記載の遊技機。
【発明の詳細な説明】
【技術分野】
【０００１】
本発明は、遊技板の前面に遊技球が流下可能な遊技領域を有し、その遊技領域内に遊技板の前面から突出した遊技領域内突壁を備えた遊技機に関する。
【背景技術】
【０００２】
従来、この種の遊技機として、遊技領域内突壁が表示装置を囲むように設けられていて、その遊技領域内突壁の左上部には、進入部から撃ち込まれた遊技球を受け止めて下方へと案内する凹部が形成されたものが知られている。凹部に受け止められた遊技球は、遊技領域内突壁上を転動した後、遊技領域における左側流下エリアへと流下していく（例えば、特許文献１参照）。
【先行技術文献】
【特許文献】
【０００３】
【特許文献１】特開２０１２−０４８９３２号公報（図２）
【発明の概要】
【発明が解決しようとする課題】
【０００４】
しかしながら、上述した従来の遊技機では、遊技領域内突壁を転動して左側流下エリアへと流下する遊技球の流下速度が速く、左側流下エリアに設けられた遊技部品にかかる負荷が大きかった。
【０００５】
本発明は、上記事情に鑑みてなされたもので、左側流下エリア内の遊技部品の負荷を軽減することが可能な遊技機の提供を目的とする。
【課題を解決するための手段】
【０００６】
上記目的を達成するためになされた請求項１の発明は、遊技球が流下可能な遊技領域を前面に備えた遊技板と、前記遊技領域を包囲する包囲壁と、前記遊技領域内に遊技球が進入するための進入部と、前記遊技板の前面から突出し、前記遊技領域の上部に打ち込まれた遊技球を下方へと案内可能な遊技領域内突壁と、を備えた遊技機において、前記遊技領域内突壁のうち遊技球を前記遊技領域の左側流下エリアに案内可能な左外側面は、前記包囲壁のうち前記進入部から下方へ延びた部分との間に前記左側流下エリアを形成すると共に、前記左側流下エリアに向けて膨出した下側膨出部と、前記下側膨出部より上方に配され、左上方に向けて膨出した上側膨出部と、前記上側膨出部と前記下側膨出部との間に設けられ、前記上側膨出部により案内された遊技球が失速する失速部と、を少なくとも備えていることを特徴とする遊技機である。
【０００７】
この構成によれば、上側膨出部と下側膨出部との間に失速部を備えているので、遊技領域内突壁を転動してきた遊技球の流下速度を失速部にて失速させて、左側流下エリアへと向かう遊技球の流下速度を抑えることができるので、左側流下エリア内の遊技部品の負荷を軽減することが可能となる。
【０００８】
請求項２の発明は、前記遊技領域内突壁のうち前記上側膨出部の上端から前記下側膨出部の下端までが全体に亘って左下がりに傾斜した左側傾斜部をなし、前記失速部は、前記左側傾斜部全体に対して陥没した形状をなしていることを特徴とする請求項１に記載の遊技機である。
【０００９】
遊技球の流下速度を抑えることが可能な構成であれば、失速部は、左側傾斜部全体に対して膨出した形状であってもよいし、請求項２の構成のように、左側傾斜部全体に対して陥没した形状であってもよい。請求項２の構成とすることで、遊技領域のうち上側膨出部が位置する流下エリアを広くとることが可能となる。
【００１０】
請求項３の発明は、前記失速部は、前記上側膨出部の下端と前記下側膨出部の上端との間を接続し、前記上側膨出部全体の勾配より緩い勾配で左下がりに傾斜した段差傾斜部を有していることを特徴とする請求項１又は２に記載の遊技機である。
【００１１】
この構成によれば、上側膨出部から流下してきた遊技球を、段差傾斜部に衝突させることで遊技球の流下速度を失速させることが可能となる。
【００１２】
請求項４の発明は、前記上側膨出部に受け止められずに前記左側流下エリアに到達する遊技球よりも、前記上側膨出部に受け止められてから前記左側流下エリアに到達する遊技球が多くなるように構成されたことを特徴とする請求項１乃至３の何れか１の請求項に記載の遊技機である。
【００１３】
この構成によれば、左側流下エリアへと流下する遊技球のうち、上側膨出部に受け止められずに左側流下エリアへと流下する遊技球より、上側膨出部に受け止められて上側膨出部を転動して左側流下エリアへと向かう遊技球を主とすることができる。
【００１４】
請求項５の発明は、前記下側膨出部の曲率が、前記上側膨出部の曲率よりも小さいことを特徴とする請求項１乃至４の何れか１の請求項に記載の遊技機である。
【００１５】
この構成によれば、上流側の遊技球を下流側に流下し易くすると共に左側流下エリアを広くとることが可能となる。
【発明の効果】
【００１６】
本発明によれば、上側膨出部と下側膨出部との間に失速部を備えているので、遊技領域内突壁を転動してきた遊技球の流下速度を失速部にて失速させることができ、左側流下エリア内の遊技部品の負荷を軽減することが可能となる。
【図面の簡単な説明】
【００１７】
【図１】本発明の一実施形態に係る遊技機の正面図
【図２】遊技板の正面図
【図３】遊技板の斜視図
【図４】表示装飾枠の拡大正面図
【図５】遊技板の拡大正面図
【図６】遊技板の拡大正面図
【発明を実施するための形態】
【００１８】
以下、本発明をパチンコ遊技機に適用した一実施形態を図１〜図６に基づいて説明する。図１に示すように、本実施形態に係るパチンコ遊技機１０（以下、単に、「遊技機１０」という。）は、図２に示す遊技板１１を、遊技機１０の前面に開閉可能に取り付けられた前面枠１０Ｚで覆ってなり、その前面枠１０Ｚに形成されたガラス窓１０Ｗを通して、遊技板１１の前面に形成された遊技領域Ｒ１の全体が視認可能となっている。
【００１９】
前面枠１０Ｚのうちガラス窓１０Ｗより下方には、上皿２６と下皿２７が上下２段にして設けられ、下皿２７の右側には、操作ハンドル２８が備えられている。操作ハンドル２８を回動操作すると、上皿２６に収容された遊技球が遊技領域Ｒ１に向けて弾き出される。なお、上皿２６に備えた球排出ボタン（図示せず）を押すと上皿２６に収容されている遊技球が下皿２７へと移動する。
【００２０】
図２に示すように、遊技板１１の前面からは、遊技領域Ｒ１を包囲するガイドレール１２（本発明の「包囲壁」に相当する。）が突出している。ガイドレール１２は、円弧状に湾曲した第１レール１２Ａ及び第２レール１２Ｂと、緩衝部材１２Ｃと板支持部５０とで構成されている。第１レール１２Ａは、遊技領域Ｒ１の周縁部のうち上側の略１／４円周分を除いた部分に沿わせて配置され、第１レール１２Ａの左側端部には板支持部５０が第１レール１２Ａを延長してなる架空円弧に沿って配置されている。第２レール１２Ｂの一端部は、第１レール１２Ａの最下部に対して左側方に配置され、第２レール１２Ｂの他端部は、第１レール１２Ａの右側端部に対して遊技球１〜２球分、上方に離れた位置に配置されている。そして、第１レール１２Ａと第２レール１２Ｂとの右側端部同士の間は、例えば、樹脂製の緩衝部材１２Ｃによって閉塞されている。また、板支持部５０と第２レール１２Ｂの中間部との間には、遊技球１〜２個分の隙間が設けられ、これにより、遊技領域Ｒ１の左上縁部に、遊技領域Ｒ１内に遊技球を進入させるための進入口１２Ｋ（本発明に係る「進入部」に相当する。）が形成されている。
【００２１】
図６に示すように、進入口１２Ｋには、進入口１２Ｋを塞ぐように可撓規制板１２Ｌが突出している。可撓規制板１２Ｌは板支持部５０にて支持され、遊技球が進入口１２Ｋ内に逆流することを規制している。そして、板支持部５０と可撓規制板１２Ｌにより球戻り防止部材５３が構成されている。操作ハンドル２８の回動操作により遊技領域Ｒ１に向けて遊技球が発射されると、遊技球が可撓規制板１２Ｌを遊技領域Ｒ１側に撓ませて遊技領域Ｒ１内に進入し、その後、第２レール１２Ｂのうち進入口１２Ｋより上方部分の円弧状案内部１２Ｄによって右斜め上方に案内される。
【００２２】
図２に示すように、遊技板１１のうち遊技領域Ｒ１の中央には、表示開口１１Ｈが貫通形成されており、その表示開口１１Ｈに遊技板１１の裏面側から表示装置３０が対向している。表示装置３０は、例えば、液晶モジュールで構成され、その前面が遊技に関する演出を行う表示画面３０Ｇとなっている。
【００２３】
図３に示すように、遊技板１１の前面中央には、表示画面３０Ｇを囲むように表示装飾枠２３が取り付けられている。表示装飾枠２３は、遊技板１１の前面側から表示開口１１Ｈに嵌め込まれて、表示開口１１Ｈの内側に張り出すと共に、表示開口１１Ｈの外縁部に沿って遊技板１１の前面から遊技領域内突壁４０を突出させている。これにより、遊技領域Ｒ１を流下する遊技球が、表示装飾枠２３の前側を通過して表示装飾枠２３の内側に進入しないように構成されている。
【００２４】
表示装飾枠２３は、図２に示すように、遊技領域Ｒ１の横方向の中間且つ上端寄り部分に配置されている。そして、遊技領域Ｒ１のうち、遊技領域内突壁４０の左上部の左上案内部４２と円弧状案内部１２Ｄとの間に進入口１２Ｋから撃ち出された遊技球を受け入れ可能な球導入エリアＲ５が形成されている。球導入エリアＲ５の下方には、第１レール１２Ａと第２レール１２Ａに沿って延びる遊技領域内突壁４０の左サイド案内部４４との間に遊技球が流下可能な左側流下エリアＲ２が形成されている。また、遊技領域内突壁４０のうち上端部から右上部にかけては第２レール１２Ｂに沿って延びた上側案内部４１になっていて、この上側案内部４１と第２レール１２Ｂとの間に遊技球が１つずつ通過可能な上側連絡流路２５Ｒが形成され、遊技領域内突壁４０の右サイド案内部４５と第１レール１２Ａとの間に形成された右側流下エリアＲ４に連絡している。そして、表示装飾枠２３の下方には、左側流下エリアＲ２と右側流下エリアＲ４とが連絡した下側流下エリアＲ３が形成されている。
【００２５】
左側流下エリアＲ２には、風車１９が設けられ、左側流下エリアＲ２を流下してきた遊技球の進路を中央側へ変更して下側流下エリアＲ３へと案内可能になっている。右側流下エリアＲ４には、始動ゲート１８が設けられると共に、始動ゲート１８の下方に第１大入賞口１５Ａが設けられている。
【００２６】
下側流下エリアＲ３の横方向中央には、第１及び第２の始動入賞口１４Ａ，１４Ｂが上下に並べて設けられ、第１及び第２の始動入賞口１４Ａ，１４Ｂの右側に第２大入賞口１５Ｂが設けられている。第１及び第２の始動入賞口１４Ａ，１４Ｂの左側及び第２大入賞口１５Ｂの右側には、一般入賞口２０が複数設けられている。また、下側流下エリアＲ３の下端部で第２始動入賞口１４Ｂの左右両側には、上記入賞口１４Ａ，１４Ｂ，１５Ａ，１５Ｂ，２０の何れにも入賞しなかった遊技球を遊技領域Ｒ１の外側に排出するためのアウト口１６，１６が設けられている。
【００２７】
また、遊技領域Ｒ１の全体には、遊技球の流下方向をランダムに変更するための障害釘１７が多数植設されている。
【００２８】
ところで、本実施形態の遊技機１０では、遊技領域内突壁４０の左上案内部４２の下端部と左サイド案内部４４の上端部との間に本発明に係る失速部４３が設けられている。これにより、左上案内部４２から転動してきた遊技球の流下速度を失速させてから遊技球を左側流下エリアＲ２へと案内するようになっている。以下、各部位について詳説する。
【００２９】
図２に示すように、遊技領域内突壁４０の左サイド案内部４４は、板支持部５０の下端部と対向する位置から下方に延びて、全体が左側流下エリアＲ２に向かって膨出している。その左サイド案内部４４のうち、上端部の連続して延びる円弧状の部分が、本発明に係る下側膨出部４４Ａになっていて、左側流下エリアＲ２の上端部に位置している。下側膨出部４４Ａは、曲率が異なる２つの円弧を滑らかに連絡してなり、第１レール１２Ａと遊技球２球分以上の間隔を空けて対向している。
【００３０】
図４に示すように、遊技領域内突壁４０の左上案内部４２は、直線部４２Ａ、第１円弧部４２Ｂ及び第２円弧部４２Ｃから構成されている。直線部４２Ａは、上側案内部４１から直線状に延び、各円弧部４２Ｂ，４２Ｃの勾配より急勾配でかつ始端部から終端部までの長さが各円弧部４２Ｂ，４２Ｃの長さより短く設定されている。なお、直線部４２Ａは直線状に限らず、凹状又は凸状の曲線で構成されていてもよい。
【００３１】
第１及び第２の円弧部４２Ｂ，４２Ｃは、下側膨出部４４Ａの上側の円弧を延長してなる架空基準線Ｋ１を中心として架空基準線Ｋ１に沿って延びた遊技球２球分の幅の架空領域Ｓ１内で左上がりに傾斜して延びている。第１円弧部４２Ｂ及び第２円弧部４２Ｃは、球導入エリアＲ５に向かって膨出し、曲率が同程度に設定されている一方、長さが第２円弧部４２Ｃの方が第１円弧部４２Ｂに比べて長く設定されている。また、第１円弧部４２Ｂ及び第２円弧部４２Ｃは、共に架空基準線Ｋ１の曲率（下側膨出部４４Ａの上側の円弧の曲率）より大きく設定されていて、上流側の遊技球が下流側に流下し易くなっている。
【００３２】
遊技領域内突壁４０のうち直線部４２Ａから下側膨出部４４Ａの範囲にかけては、フランジ部４７Ｆが設けられている。フランジ部４７Ｆは、遊技球１球分程度、上方に張り出して遊技板１１の前面に敷設され、フランジ部４７Ｆ部分は障害釘１７を有さず、フランジ部４７Ｆの上縁部に沿うように障害釘１７が配置されている（図２参照）。また、フランジ部４７Ｆには、その上端部及び下端部に遊技板１１へのビス留め用のビス孔４０Ｈ，４０Ｈが形成されている。
【００３３】
そして、本実施形態では、本発明の「上側膨出部」に相当する第２円弧部４２Ｃから下側膨出部４４Ａまでの範囲が、下側膨出部４４Ａの架空基準線Ｋ１に沿って左下がりに傾斜した本発明の左側傾斜部４８になっていて、そのうちの第２円弧部４２Ｃの下端寄り位置から下側膨出部４４Ａの上端部までが左側傾斜部４８全体に対して表示開口１１Ｈ側に陥没した失速部４３になっている。
【００３４】
失速部４３は、第２円弧部４２Ｃの下端側の円弧部分と、第２円弧部４２Ｃの下端部と下側膨出部４４Ａの上端部の間を連絡する段差傾斜部４３Ａとにより構成されている。段差傾斜部４３Ａは、第２円弧部４２Ｃの終端部から直線状に左下がりに傾斜して延び、その勾配θ１は、第２円弧部４２Ｃ全体の勾配より緩やかに構成され、約５〜４５度の範囲に設定することで遊技球に付与する流下速度を抑えつつ、遊技球が下方に流れ易い構成となっている。また、段差傾斜部４３Ａは、第２円弧部４２Ｃと段差傾斜部４３Ａとの一端側の交点から下側膨出部４４Ａと段差傾斜部４３Ａとの他端側の交点までの長さＬ１（第２円弧部４２Ｃを延長した架空円弧線と段差傾斜部４３Ａを延長してなる段差基準線Ｋ２との交点から段差傾斜部４３Ａの終端部までの長さＬ１）が約５．５〜１１［ｍｍ］に設定されている。つまり、段差傾斜部４５は、少なくとも遊技球の半径以上に構成されていればよい。これにより、左側案内部４２を転動した遊技球が失速部４３に至ると、段差傾斜部４３Ａに衝突して失速するので、左側流下エリアＲ２へと流下する遊技球の流下速度を抑えることができる。
【００３５】
また、本実施形態では、直線部４２Ａと第１円弧部４２Ｂとの間及び第１円弧部４２Ｂと第２円弧部４２Ｃとの間に第１及び第２の窪み部４６Ａ，４６Ｂが形成されている。これにより、段差傾斜部４３Ａへと向かう遊技球の流下速度を第１及び第２の窪み部４６Ａ，４６Ｂによって抑えたり又は加速させることが可能となっている。なお、本実施形態では、直線部４２Ａと第１円弧部４２Ｂとの交差部（第１窪み部４６Ａ）、第１円弧部４２Ｂと第２円弧部４２Ｃとの交差部（第２窪み部４６Ｂ）、及び、第２円弧部４２Ｃと段差傾斜部４３Ａとの交差部は、湾曲面にて連絡されている。
【００３６】
図６に示すように、遊技領域Ｒ１に打ち出された遊技球は球導入エリアＲ５内を通過するように構成され、球導入エリアＲ５から左上案内部４２に受け止められずにすぐに左側流下エリアＲ２に到達する遊技球よりも、左上案内部４２上を転動して左側流下エリアＲ２に到達する遊技球の方が多くなるように設定されている。
【００３７】
詳細には、進入口１２Ｋから撃ち出された遊技球は、可撓規制板１２Ｌを球導入エリアＲ５側に撓ませて進入口１２Ｋから円弧状案内部１２Ｄによって右斜め上方に案内される。ここで、遊技球の発射速度が遅い（弱い）と、可撓規制板１２Ｌに弾かれて球導入エリアＲ５へ進入することができず、また進入できたとしても、可撓規制板１２Ｌが図６の二点鎖線に示すように撓むため、遊技球が進入口１２Ｋから略鉛直に流下することが規制されている。球導入エリアＲ５から左上案内部４２に受け止められずにすぐに左側流下エリアＲ２に流下してしまう強さの発射では安定した発射はできないことから、通常、安定した遊技を行う場合は、球導入エリアＲ５の上部に設けた障害釘１７の辺り（詳細には、直線部４２Ａ及び第１円弧部４２Ｂの側方に配置された障害釘１７）を狙って遊技球を発射することになり、左上案内部４２に受け止められずに左側流下エリアＲ２に到達する遊技球よりも、左上案内部４２に受け止められてから左側流下エリアＲ２に到達する遊技球が多くなるように構成されている。
【００３８】
球導入エリアＲ５に受け入れられた遊技球は、流下速度によって直線部４２Ａ又は第１円弧部４２Ｂへと向い、それらの手前でフランジ部４７Ｆに沿って配置された障害釘１７に衝突して左上案内部４２へと案内されるか、又は、それら障害釘１７の間を抜けて、直接、左上案内部４２に衝突して、左上案内部４２上を転動して左側流下エリアＲ２へと到達する。そして、これら遊技球のうちの一部が、障害釘１７に衝突する角度によって左上案内部４２を転動することなく左側流下エリアＲ２へと到達する。
【００３９】
図５に示すように、左側流下エリアＲ２の上端部には、フランジ部４７Ｆの外縁部に沿って障害釘１７群が植設され、これら障害釘１７群のうち最上部に位置する障害釘１７が特定釘１７Ｋになっている。左側流下エリアＲ２に流下してきた遊技球は、特定釘１７Ｋを境に第１レール１２Ａと障害釘１７群との間の外側流路と、障害釘１７群と下側膨出部４４Ａとの間の内側流路とに振り分けられる。また、特定釘１７Ｋは段差基準線Ｋ２より僅かに下方に配置されていて、段差傾斜部４３Ａから流下した遊技球が、直接、外側流路又は内側流路へと流下するか、特定釘１７Ｋを掠めて外側流路又は内側流路に分岐して流下するようになっている。なお、図５及び図６には、障害釘１７のヘッド部１７Ｈが実線で示され、シャフト部１７Ｓが破線で示されている。
【００４０】
また、段差傾斜部４３Ａは、板支持部５０との対向位置に配置されている。詳細には、板支持部５０は、ベース部材５１と、可撓規制板１２Ｌを支持する支持部材５２とから構成されている。ベース部材５１は、平面形状が略長方形をなし、ビスにて遊技板１１に固定されている。ベース部材５１の下端寄り位置には前方に突出した円筒部５１Ｊが設けられ、支持部材５２の係合部５２Ｊと凹凸係合して、支持部材５２がベース部材５１に対して揺動可能に支持されている。
【００４１】
支持部材５２には、係合部５２Ｊから板支持片５２Ａとフック部５２Ｂとが突出している。これら板支持片５２Ａ及びフック部５２Ｂは、第１レール１２Ａを延長してなる架空円弧に沿って右上がりに傾斜し、板支持片５２Ａが第１レール１２Ａの遊技領域Ｒ１側の側面より外側に配置されて比較的長く延びる一方、フック部５２Ｂが第１レール１２Ａの遊技領域Ｒ１側の側面より内側に配置されて比較的短く延びた後、板支持片５２Ａ側に屈曲している。そして、板支持片５２Ａとフック部５２Ｂとの間のＬ字状の溝部分に可撓規制板１２Ｌの下側部分が係止されて、板支持片５２Ａの先端から延びる可撓規制板１２Ｌの上側部分が可撓可能に支持されている。
【００４２】
これら構成により、板支持部５０のうち、フック部５２Ｂが下側膨出部４４Ａの上端部分と対向するように配置される一方、フック部５２Ｂより上方に延びた板支持片５２Ａが段差傾斜部４３Ａと対向するように配置されている。そして、板支持部５０と下側膨出部４４Ａの上端部分との間に絞り部Ｓ４が形成され、フック部５２Ｂより上方に延びた板支持片５２Ａと段差傾斜部４３Ａとの間に拡張部Ｓ３が形成されている。絞り部Ｓ４及び拡張部Ｓ３は、共に障害釘１７を有さない釘無し領域になっていて、左側流下エリアＲ２へと向かう遊技球の球詰まりを抑制することができる。また、障害釘１７を有していないので、遊技球の流下方向の自由度が高く、流下時の接触などにより任意の流下態様とすることができる。さらに、拡張部Ｓ３は最も幅が広いところで遊技球３球分以上４球分未満の幅となっているのに対し、絞り部Ｓ４は遊技球２球分以上３球分未満の幅になっているので、左側流下エリアＲ２に進入した遊技球の流下速度を絞り部Ｓ４にて落とすことができ、遊技球が特定釘１７Ｋに衝突した場合の特定釘１７Ｋにかかる負荷を軽減することができる。
【００４３】
パチンコ遊技機１０の構成に関する説明は以上である。次に、パチンコ遊技機１０の作用効果について説明する。
【００４４】
操作ハンドル２８の回動操作により左側流下エリアＲ２に向けて遊技球が撃ち込まれると、図６に示すように、遊技球が進入口１２Ｋから円弧状案内部１２Ｄによって右斜め上方に案内され、球導入領域Ｒ５に受け入れられる。受け入れられた遊技球のほどんどは、障害釘１７の間を抜けて、直接、左上案内部４２に衝突して左上案内部４２に受けとめられるか、又は、障害釘１７に衝突して左上案内部４２へと案内されて左上案内部４２に受けとめられてから、左上案内部４２上を転動して左側流下エリアＲ２へと向かう。
【００４５】
ところで、従来、遊技領域内突壁を転動して左側流下エリアへと流下する遊技球は、流下速度が速く、左側流下エリアに設けられた障害釘等の遊技部品にかかる負荷が大きかった。これに対し、本実施形態では、第２円弧部４２Ｃと下側膨出部４４Ａとの間に失速部４３を設けたので、左下がりに傾斜した左上案内部４２上を転動した流下速度が比較的速い状態の遊技球を失速部４３の段差傾斜部４３Ａに衝突させて失速させることができる。これにより、左側流下エリアＲ２へと流下する遊技球の流下速度を抑えることが可能となり、特定釘１７Ｋにかかる負荷を軽減することが可能となる。
【００４６】
また、本実施形態では、左側流下エリアＲ２の上端部に拡張部Ｓ３より幅狭な絞り部Ｓ４を設けたので、絞り部Ｓ４にて遊技球の流下速度を落とすことが可能となる。これに加え、拡張部Ｓ３において障害釘１７を有さない構成としたので、左側流下エリアＲ２へと向かう遊技球の球詰まりを抑制することができる。また、遊技球の流下方向の自由度が高く、流下時の接触などにより任意の流下態様とすることができるので、遊技球同士が衝突した場合に遊技球の流下速度が落とされる。
【００４７】
さらに、本実施形態では、左側流下エリアＲ２に植設された障害釘１７のうち、最上部に位置する特定釘１７Ｋを段差基準線Ｋ２より下方に配置したので、遊技球が、直接、外側流路又は内側流路へと流下するか、特定釘１７Ｋを掠めて外側流路又は内側流路に分岐して流下するようになっているので、特定釘１７Ｋにかかる負荷を軽減することができる。
【００４８】
このように、本実施形態によれば、左上案内部４２から左側流下エリアＲ２へと流下する遊技球の流下速度を失速部４３にて失速させることができると共に、左側流下エリアＲ２の上端部（絞り部Ｓ４）で遊技球の流下速度を落とすことができるので、左側流下エリアＲ２内の遊技部品の負荷を軽減することが可能となる。
【００４９】
また、本実施形態では、従来、遊技領域内突壁の左上部を表示開口側に膨出させて凹部としていた部分を、ガイドレール１２に向かって膨出させたので、従来より表示開口１１Ｈを大きくとることが可能となる。これにより、表示画面３０Ｇの大型化に対応可能であると共に、可動役物の配置の自由度を高めることが可能となる。
【００５０】
さらに、直線部４２Ａと第１円弧部４２Ｂとの間及び第１円弧部４２Ｂと第２円弧部４２Ｃとの間に第１及び第２の窪み部４６Ａ，４６Ｂが設けられているので、左上案内部４２を流下する遊技球の流下速度を落としたり加速させたりすることができる。これにより、左上案内部４２を流下する遊技球を趣向性を高い流下態様とすることが可能となる。
【００５１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５２】
（１）前記実施形態では、左上案内部４２が直線部４２Ａ、第１円弧部４２Ｂ及び第２円弧部４２Ｃから構成されていたが、下側膨出部４４Ａより曲率の大きい円弧であれば、左上案内部４２が上側膨出部（第２円弧部４２Ｃ）のみの構成であってもよい。また、上側膨出部は、全体的に膨出していればよく、複数の円弧や傾斜又は屈曲した直線壁から構成されていてもよい。
【００５３】
（２）前記実施形態では、失速部４３が左側傾斜部４８に対して表示開口１１Ｈ側に陥没した形状になっていたが、左上案内部４２により案内された遊技球の流下速度を失速させることができれば、失速部が左側傾斜部４８に対してガイドレール１２側に膨出した形状であってもよい。
【００５４】
（３）前記実施形態では、下側膨出部４４Ａが曲率の異なる２つの円弧を滑らかに連続させてなる構成になっていたが、１つの円弧であってもよい。また、下側膨出部４４Ａは、全体的に膨出していればよく、複数の円弧や傾斜又は屈曲した直線壁から構成されていてもよい。
【００５５】
（４）前記実施形態では、下側膨出部４４Ａの上側の円弧の曲率が、第２円弧部４２Ｃの曲率より小さい構成になっていたが、下側膨出部４４Ａ全体の曲率（下側膨出部４４Ａを構成する２つの円弧の曲率の平均）が第２円弧部４２Ｃの曲率より小さい構成であってもよい。また、下側膨出部４４Ａの曲率と、上側膨出部（第２円弧部４２Ｃ）の曲率は、少なくとも上側及び下側の膨出部の最も膨出した部分や各々の曲率の全体を比べて、下側膨出部４４Ａの曲率が上側膨出部（第２円弧部４２Ｃ）の曲率より小さい構成であればよい。
【００５６】
（５）前記実施形態では、下側膨出部４４Ａの上側の曲率が第２円弧部４２Ｃの曲率より小さい構成になっていたが、下側膨出部４４Ａの上側の曲率が第２円弧部４２Ｃの曲率より大きい構成であってもよいし、同じであってもよい。
【００５７】
（６）前記実施形態では、失速部４３が段差傾斜部４３Ａを有していたが、段差傾斜部４３Ａを設けずに、上側膨出部と下側膨出部との窪み部分を、左側傾斜部全体に対して陥没した失速部とした構成であってもよい。
【００５８】
（７）前記実施形態では、段差傾斜部４３Ａが左下がりに傾斜した構成になっていたが、遊技球がスムーズに流れるのであれば、水平であってもよいし、右上がりに傾斜した構成であってもよい。
【００５９】
（８）前記実施形態では、特定釘１７Ｋが段差基準線Ｋ２より下方に配置されていたが、段差基準線Ｋ２上であってもよい。
【００６０】
（９）前記実施形態では、段差傾斜部４３Ａが板支持部５０と対向する位置（段差傾斜部４３Ａが進入口１２Ｋより下側）に配置されていたが、段差傾斜部４３Ａを板支持部５０より下方又は上方にずらして配置した構成であってもよい。
【００６１】
（１０）前記実施形態では、拡張部Ｓ３に障害釘１７を有さない構成になっていたが、障害釘１７を設けた構成であってもよい。
【００６２】
（１１）前記実施形態では、遊技領域内突壁４０が表示装置３０を囲む枠形状になっていたが、遊技領域内突壁４０は枠形状に限るものではない。また、表示装置３０以外のものを囲む構成であってもよい。
【００６３】
（１２）本発明には含まれないが、遊技領域内突壁４０の左外側面以外の、例えば、右外側面に本発明の左上傾斜部、左サイド円弧部に相当する右上傾斜部、右サイド円弧部を設け、これら右上傾斜部と右サイド円弧部との間を段差傾斜部で連絡する構成であってもよい。
【符号の説明】
【００６４】
１０    パチンコ遊技機
１１    遊技板
１２    ガイドレール（包囲壁）
１２Ｋ    進入口（進入部）
１７Ｋ    特定釘（遊技部品）
４０    遊技領域内突壁
４２    左上案内部
４２Ｃ    第２円弧部（上側膨出部）
４３    失速部
４３Ａ    段差傾斜部
４４Ａ    下側膨出部
４８    左側傾斜部
Ｒ１    遊技領域
Ｒ２    左側流下エリア
【図１】
2017023269.tif 000003
【図２】
2017023269.tif 000004
【図３】
2017023269.tif 000005
【図４】
2017023269.tif 000006
【図５】
2017023269.tif 000007
【図６】
2017023269.tif 000008